(57)【要約】      （修正有）【課題】コスト上昇を抑制することが可能な表示装置を提供する。【解決手段】所定情報を表示する表示手段と、第１、第２の光源から表示手段に至る照明経路中に配置される導光部材５０とを有し、導光部材５０は、表示手段の背後に配置される本体部５１と、この本体部５１の所定領域Ｒ１に第１の光源からの第１の照明光を導入するように本体部５１の外方に設けられる第１の光導入部５２と、所定領域Ｒ１を除いた本体部５１の他の領域Ｒ２に第２の光源からの第２の照明光を導入するように本体部５１の外方に設けられる第２の光導入部５３とを備えている。【選択図】図３
2015075363.tif 000002
【特許請求の範囲】
【請求項１】
所定情報を表示する表示手段と、
第１、第２の光源から前記表示手段に至る照明経路中に配置される導光部材とを有し、
前記導光部材は、
前記表示手段の背後に配置される本体部と、
前記本体部の所定領域に前記第１の光源からの第１の照明光を導入するように前記本体部の外方に設けられる第１の光導入部と、
前記所定領域を除いた前記本体部の他の領域に前記第２の光源からの第２の照明光を導入するように前記本体部の外方に設けられる第２の光導入部とを備えていることを特徴とする表示装置。
【請求項２】
前記本体部は、所定方向に沿い対面している第１の側面部と第２の側面部とが平行であり、且つ、前記所定方向とは直交する他の方向に沿い対面している第３の側面部と第４の側面部とが非平行であるような異形の導光部からなり、
前記第１、第２の光導入部は、前記第１の側面部に設けられていることを特徴とする請求項１記載の表示装置。
【発明の詳細な説明】
【技術分野】
【０００１】
本発明は、例えば自動車やオートバイ等の各種車両に搭載される表示装置に関するものである。
【背景技術】
【０００２】
従来より、この種の表示装置にあっては、例えば下記特許文献１に記載されているものが知られている。この特許文献１に記載の表示装置は、所定情報を表示する液晶表示パネルからなる表示手段と、この表示手段の背後に沿うように配置される拡散板と、表示手段及び拡散板を保持する白色の樹脂ケースと、拡散板の背後側となる回路基板上に実装され、拡散板に照明光を供給する複数個の光源とを備え、この場合、樹脂ケースは、複数個の光源を取り囲むように回路基板と拡散板との間に位置し、各光源から発せられる照明光は、拡散板によって略均一化された状態で表示手段側に導かれるものである。
【先行技術文献】
【特許文献】
【０００３】
【特許文献１】特開２００８−２７５７９９号
【発明の概要】
【発明が解決しようとする課題】
【０００４】
しかしながら、特許文献１に記載の表示装置の場合、樹脂ケースと当該樹脂ケースによって保持される拡散板とを利用して液晶表示パネルからなる表示手段を背後から照明する構成であり、当該表示手段を照明するにあたって樹脂ケースと拡散板とを必要とし、これにより表示装置を構成する部品点数が多くなって部品費が嵩み、コストアップの原因となっていた。
そこで本発明は、前述の課題に対して対処するため、コスト上昇を抑制することが可能な表示装置の提供を目的とするものである。
【課題を解決するための手段】
【０００５】
本発明は、所定情報を表示する表示手段と、第１、第２の光源から前記表示手段に至る照明経路中に配置される導光部材とを有し、前記導光部材は、前記表示手段の背後に配置される本体部と、前記本体部の所定領域に前記第１の光源からの第１の照明光を導入するように前記本体部の外方に設けられる第１の光導入部と、前記所定領域を除いた前記本体部の他の領域に前記第２の光源からの第２の照明光を導入するように前記本体部の外方に設けられる第２の光導入部とを備えていることを特徴とする。
【０００６】
また本発明は、前記本体部は、所定方向に沿い対面している第１の側面部と第２の側面部とが平行であり、且つ、前記所定方向とは直交する他の方向に沿い対面している第３の側面部と第４の側面部とが非平行であるような異形の導光部からなり、前記第１、第２の光導入部は、前記第１の側面部に設けられていることを特徴とする。
【発明の効果】
【０００７】
本発明によれば、初期の目的を達成でき、コスト上昇を抑制することが可能な表示装置を提供できる。
【図面の簡単な説明】
【０００８】
【図１】本発明の実施形態による表示装置の正面図。
【図２】同実施形態による表示手段の正面図。
【図３】同実施形態による導光部材の正面図。
【図４】図３のＡ−Ａ断面図。
【図５】図３のＢ−Ｂ断面図。
【発明を実施するための形態】
【０００９】
以下、図１〜図５に基づいて、本発明を車両に搭載された車両用計器に適用した一実施形態を説明する。
【００１０】
図１〜図５において、本実施形態による表示装置としての車両用計器は、所定情報を表示する表示手段１０と、この表示手段１０の背後側に位置する回路基板２０と、この回路基板２０上に実装（配設）される第１、第２の光源３０、４０と、各光源３０、４０から表示手段１０に至る照明経路中に配置される導光部材５０とを有し、各光源３０、４０からの照明光は導光部材５０を介して表示手段１０へと導かれる構成となっている。
【００１１】
なお、図１中、６０は、表示手段１０の前方側である視認者側に配置された覆い部材であり、この覆い部材６０には表示手段１０の表示領域（図示せず）を臨ませるための開口窓部６１が設けられている。
【００１２】
表示手段１０は、例えば一対の透明基板間に液晶が封入された液晶表示パネルからなり、前記所定情報を表示する表示部１１を有している。この表示部１１は、表示手段１０の前記表示領域に表示される。
【００１３】
表示部１１に表示される前記所定情報としては、車速や燃費、外気温等を適用することができ、前記所定情報は、図示しない各種センサからの検出信号（電気信号）に基づいて表示される。
【００１４】
また、この場合、表示手段１０は、表示部１１以外の背景部分を不透過とした所謂、ネガ表示タイプの異形の液晶表示パネルを適用することができる。ここで言う異形とは、対面する２辺がともに平行である所謂、通常の四角形とは異なる形状を意味している。
【００１５】
具体的には、本例における表示手段１０は、図２中、所定方向である矢印Ｃ１方向に沿い対面している下側にある第１の辺１２と上側にある第２の辺１３とが平行であり、且つ、矢印Ｃ１方向とは直交する他の方向である矢印Ｃ２方向に沿い対面している左側にある第３の辺１４と右側にある第４の辺１５とが非平行であるような異形の液晶表示パネルからなるものであり、右側にある第４の辺１５のみが傾斜した構成となっている。
【００１６】
回路基板２０は、例えばガラスエポキシ系基材に配線パターン（図示せず）が施された硬質回路基板からなり、表示手段１０の表示制御を行う液晶駆動回路（図示せず）と、各光源３０、４０の発光制御を行う光源駆動回路（図示せず）と、第１の光源３０と、第２の光源４０と、抵抗、コンデンサ等の各種回路部品（図示せず）とが前記配線パターンに導通接続されている。
【００１７】
各光源３０、４０は、ともに適宜色（例えば白色）の照明光を発するチップ型発光ダイオードからなり、各光源３０、４０のうち、第１の光源３０は導光部材５０に備えられる後述する第１の受光部と対向するように回路基板２０上に実装されている。また、各光源３０、４０のうち、第２の光源４０は導光部材５０に備えられる後述する第２の受光部と対向するように回路基板２０上に実装されている。
【００１８】
導光部材５０は、透光性合成樹脂材料にて形成され、導光部材５０の主要部を構成する本体部５１と、この本体部５１の後述する第１の側面部に集中配置される第１、第２の光導入部５２、５３とを備えている（図３参照）。
【００１９】
本体部５１は、表示手段１０の背後に沿うように配置され、その外形形状は表示手段１０の外形形状に対応した異形の平板形状となっている。
【００２０】
なお、図３において、Ｍ１は本体部５１の第１の側面部であり、Ｍ２は本体部５１の第２の側面部であり、Ｍ３は本体部５１の第３の側面部であり、Ｍ４は本体部５１の第４の側面部である。
【００２１】
第１側面部Ｍ１は、表示手段１０の第１の辺１２に対応する位置に設けられ、第２側面部Ｍ２は、表示手段１０の第２の辺１３に対応する位置に設けられ、第３側面部Ｍ３は、表示手段１０の第３の辺１４に対応する位置に設けられ、第４側面部Ｍ４は、表示手段１０の第４の辺１５に対応する位置に設けられている。
【００２２】
従って、この場合、本体部５１は、矢印Ｃ１方向（前記所定方向）に沿い対面している第１の側面部Ｍ１と第２の側面部Ｍ２とが平行であり、且つ、矢印Ｃ１方向（前記所定方向）とは直交する矢印Ｃ２方向（前記他の方向）に沿い対面している第３の側面部Ｍ３と第４の側面部Ｍ４とが非平行であるような異形の導光部からなるものである。
【００２３】
第１の光導入部５２は、図３中、点線部分で囲まれた領域である本体部５１の所定領域Ｒ１に第１の光源３０からの第１の照明光Ｌ１を導入するように本体部５１の外方（周囲）にはみ出た状態で設けられている。
【００２４】
この第１の光導入部５２は、第１の側面部Ｍ１の略中央部に位置する第２の光導入部５３の左方に隣接するように第１の側面部Ｍ１に設けられ、図４に示すように本体部５１の板厚と同一の板厚を有するように本体部５１の側方に突出する（連なる）第１の導光路５２ａと、本体部５１から離れた方向となる第１の導光路５２ａの外縁部分から回路基板２０側に向けて垂下形成された第１の受光部５２ｂとを有している。
【００２５】
そして、第１の導光路５２ａの前記外縁部分の表面には、第１の受光部５２ｂを通じて第１の受光部５２ｂ内に導かれた第１の光源３０からの第１の照明光Ｌ１を第１の導光路５２ａ（本体部５１の所定領域Ｒ１）へと反射導光させるための第１の反射部５２ｃが設けられている。
【００２６】
また、第２の光導入部５３は、図３中、一点鎖線部分で囲まれた領域（つまり所定領域Ｒ１を除いた本体部５１の他の領域Ｒ２）に第２の光源４０からの第２の照明光Ｌ２を導入するように本体部５１の外方（周囲）にはみ出た状態で設けられている。
【００２７】
この第２の光導入部５３は、第１の側面部Ｍ１の略中央部に設けられ、図５に示すように本体部５１の板厚と同一の板厚を有するように本体部５１の側方に突出する（連なる）第２の導光路５３ａと、本体部５１から離れた方向となる第２の導光路５３ａの外縁部から回路基板２０側に向けて垂下形成された第２の受光部５３ｂとを有している。
【００２８】
そして、第２の導光路５３ａの前記外縁部の表面には、第２の受光部５３ｂを通じて第２の受光部５３ｂ内に導かれた第２の光源４０からの第２の照明光Ｌ２を第２の導光路５３ａ（本体部５１の他の領域Ｒ２）へと反射導光させるための第２の反射部５３ｃが設けられている。
【００２９】
このような構成において、第１、第２の光源３０、４０が発光すると、第１の光源３０から発せられる白色の第１の照明光Ｌ１は、第１の光源３０の発光面に対向する第１の受光部５２ｂ内に供給され、この第１の受光部５２ｂ内に採り入れられた第１の照明光Ｌ１は、第１の反射部５２ｃによって反射され、その後、第１の導光路５２ａを経て主として本体部５１の所定領域Ｒ１を照らす。
【００３０】
一方、第２の光源４０から発せられる白色の第２の照明光Ｌ２は、第２の光源４０の発光面に対向する第２の受光部５３ｂ内に供給され、この第２の受光部５３ｂ内に採り入れられた第２の照明光Ｌ２は、第２の反射部５３ｃによって反射され、その後、第２の導光路５３ａを経て主として本体部５１の他の領域Ｒ２を照らす。
【００３１】
このように照明光の導入方向が異なるように形成された各光導入部５２、５３を経て本体部５１に導かれる各照明光Ｌ１、Ｌ２は本体部５１の表面から出射光として出射し、この出射光が本体部５１の真上に位置している表示手段１０を照明することで、表示部１１が発光表示される。
【００３２】
なお、ここでの詳細図示は省略するが、必要に応じて、本体部５１（所定領域Ｒ１及び他の領域Ｒ２）における背面の適宜箇所に、微細凹凸からなるシボ加工（光量調整部）を施して、本体部５１背面にて表示手段１０側に反射される光線を散乱するようにしてもよい。このように構成することで、表示部１１の照明ムラを極力抑制することができる。
【００３３】
以上のように、本実施形態では前記所定情報を表示する表示手段１０と、第１、第２の光源３０、４０から表示手段１０に至る照明経路中に配置される導光部材５０とを有し、導光部材５０は、表示手段１０の背後に配置される本体部５１と、この本体部５１の所定領域Ｒ１に第１の光源３０からの第１の照明光Ｌ１を導入するように本体部５１の外方に設けられる第１の光導入部５２と、所定領域Ｒ１を除いた本体部５１の他の領域Ｒ２に第２の光源４０からの第２の照明光Ｌ２を導入するように本体部５１の外方に設けられる第２の光導入部５３とを備えていることにより、従来のように２部品（樹脂ケースと拡散板）ではなく１部品（つまり導光部材５０）のみを用いて表示手段１０を照明することができ、部品点数が削減され、コスト上昇を抑制することが可能となる。
【００３４】
また本実施形態では、本体部５１は、矢印Ｃ１方向（前記所定方向）に沿い対面している第１の側面部Ｍ１と第２の側面部Ｍ２とが平行であり、且つ、矢印Ｃ１方向（前記所定方向）とは直交する矢印Ｃ２方向（前記他の方向）に沿い対面している第３の側面部Ｍ３と第４の側面部Ｍ４とが非平行であるような異形の導光部からなり、第１、第２の光導入部５２、５３は、第１の側面部Ｍ１に設けられていることにより、第１、第２の光導入部５２、５３を集中配置することができ、レイアウト上の制約を受けにくい表示装置を提供することができる。
【００３５】
また本実施形態では、第１、第２の光導入部５２、５３が第１の側面部Ｍ１に集中配置されている例について説明したが、例えばレイアウト上の制約がない場合には、第１の光導入部５２と第２の光導入部５３とのうち少なくとも一方を第１の側面部Ｍ１ではなく第２の側面部Ｍ２に設けてもよい。
【００３６】
このように第２の側面部Ｍ２に各光導入部５２、５３を設ける場合、詳細図示は省略するが、上記実施形態にて採用した第１の光導入部５２の配設位置とは対面する位置となる第２の側面部Ｍ２箇所に第１の光導入部５２を設ければよく、第２の光導入部５３は第２の側面部Ｍ２と第４の側面部Ｍ４との境界付近となる第２の側面部Ｍ２箇所に設ければよい。
【符号の説明】
【００３７】
１０    表示手段
１１    表示部
３０    第１の光源
４０    第２の光源
５０    導光部材
５１    本体部
５２    第１の光導入部
５２ａ  第１の導光路
５２ｂ  第１の受光部
５２ｃ  第１の反射部
５３    第２の光導入部
５３ａ  第２の導光路
５３ｂ  第２の受光部
５３ｃ  第２の反射部
Ｌ１    第１の照明光
Ｌ２    第２の照明光
Ｍ１    第１の側面部
Ｍ２    第２の側面部
Ｍ３    第３の側面部
Ｍ４    第４の側面部
Ｒ１    所定領域
Ｒ２    他の領域
【図１】
2015075363.tif 000003
【図２】
2015075363.tif 000004
【図３】
2015075363.tif 000005
【図４】
2015075363.tif 000006
【図５】
2015075363.tif 000007